(57)【特許請求の範囲】
【請求項１】
第１の構成から第２の構成に変わることを可能にする、無線基地局における、システムの再構成のための方法であって、前記無線基地局は、システム情報（ＳＩ）に含まれるセル構成情報をユーザ機器に報知するように構成され、前記方法は：
−前記システムの前記再構成を開始するトリガを受信するステップ（４１０）と、
−前記第２の構成を決定するステップ（４２０）と、
−前記第１の構成を有する第１のセルを停止する前に、前記第２の構成を適用することにより第２のセルを始動するステップ（４３０）と、
−前記第２のセルを始動するステップに対する時間的なオフセットを伴って、前記第１のセルを停止するステップ（４４０）と、
−前記第２の構成を決定する前記ステップ（４２０）は、前記第２のセル内で報知される前記ＳＩが前記第１のセル内で報知される前記ＳＩと異なるように前記第２のセルについての前記ＳＩの情報要素を決定することを含むことと、
を特徴とする方法。
【請求項２】
前記無線基地局は、ＬＴＥシステムにおいて動作し、少なくとも２つの送信アンテナに接続され、前記トリガは、アクティブな送信アンテナの数の再構成を開始し、前記第２の構成を決定する前記ステップ（４２０）は：
−第２のセルのＩＤを決定すること（４２１）と、
−前記第２のセルについて、前記第２のセルのＩＤに対応する同期チャネルを決定すること（４２２）と、
−前記第２のセルについて、送信アンテナの再構成される前記数及び前記第２のセルのＩＤに対応する、リファレンス信号を決定すること（４２３）と、
−前記第２のセルについて、送信アンテナの再構成される前記数に対応する、前記システム情報の情報要素及び報知チャネルの送信フォーマットを決定すること（４２４）と、
をさらに含む、請求項１に記載の方法。
【請求項３】
前記無線基地局は、ＬＴＥシステムにおいて動作し、前記トリガは、帯域幅の再構成を開始し、前記第２の構成を決定する前記ステップ（４２０）は：
−第２のセルのＩＤを決定すること（４２１）と、
−前記第２のセルについて、前記第２のセルのＩＤに対応する同期チャネルを決定すること（４２２）と、
−前記第２のセルについて、再構成される前記帯域幅に対応する前記システム情報の情報要素を決定すること（４２５）と、
−前記第２のセルについて、再構成される前記帯域幅及び前記第２のセルのＩＤに対応する、リファレンス信号を決定すること（４２６）と、
をさらに含む、請求項１に記載の方法。
【請求項４】
前記第２のセルを始動する前記ステップ（４３０）は、前記第２のセルについてのリファレンス信号、報知チャネル、システム情報を搬送するリソース要素、及び同期チャネルの送信電力を増やすことにより実行される、先行する請求項のうちのいずれかに記載の方法。
【請求項５】
前記第１のセルを停止する前記ステップ（４４０）は、前記第１のセルについての信号の送信電力を減らすことにより実行される、先行する請求項のうちのいずれかに記載の方法。
【請求項６】
前記トリガは、前記第２の構成についての情報を含み、
前記第２の構成を決定する前記ステップ（４２０）は、前記トリガの情報に基づいて実行される、
先行する請求項のうちのいずれかに記載の方法。
【請求項７】
前記第２の構成を決定する前記ステップ（４２０）は、所定の第２の構成の情報に基づいて実行される、請求項１〜５のいずれかに記載の方法。
【請求項８】
前記第１のセル内のアクティブなユーザ機器に、前記第１のセルを停止する前に前記第２のセルへのハンドオーバを行わせるステップ（４３５）、をさらに含む、先行する請求項のうちのいずれかに記載の方法。
【請求項９】
前記第１のセル内のアクティブなユーザ機器に前記第２のセルへのハンドオーバを行わせる前記ステップ（４３５）の前に、ページングを介して、前記第１のセル内の遊休状態のユーザ機器を前記アクティブなユーザ機器に変更するステップ（４３６）、をさらに含む、請求項８に記載の方法。
【請求項１０】
前記第２の構成を決定する前記ステップ（４２０）は、前記第１のセルのセルＩＤと異なる第２のセルのＩＤを決定することをさらに含む、請求項１に記載の方法。
【請求項１１】
第１の構成から第２の構成に変わることによりシステムの再構成を可能にするように適合され、システム情報（ＳＩ）に含まれるセル構成情報をユーザ機器に報知するようにさらに適合される無線基地局（５００）であって：
−前記システムの前記再構成を開始するトリガを受信するように構成される受信部（５１１）と、
−前記第２の構成を決定するように構成される決定部（５１２）と、
−前記第１の構成を有する第１のセルを停止する前に、前記第２の構成を適用することにより第２のセルを始動する、ように構成される始動部（５１３）と、
−前記第２のセルを始動することに対する時間的なオフセットを伴って前記第１のセルを停止するように構成される停止部（５１４）と、
を備え、
前記決定部（５１２）は、前記無線基地局が前記第２のセル内で報知するように適合される前記ＳＩが、前記無線基地局が前記第１のセル内で報知するように適合される前記ＳＩと異なるように、前記第２のセルについての前記ＳＩの情報要素を決定するようにさらに構成される、
ことを特徴とする無線基地局。
【請求項１２】
前記無線基地局は、ＬＴＥシステムにおいて動作するように適合され、少なくとも２つの送信アンテナ（５１６）に接続可能であり、
前記トリガは、アクティブな送信アンテナの数の再構成を開始し、
前記決定部（５１２）は、第２のセルのＩＤを決定し、前記第２のセルのＩＤに対応する同期チャネル、送信アンテナの再構成される前記数及び前記第２のセルのＩＤに対応するリファレンス信号、並びに、送信アンテナの再構成される前記数に対応する前記システム情報の情報要素及び報知チャネルの送信フォーマットを、前記第２のセルについて決定する、ようにさらに構成される、
請求項１１に記載の無線基地局。
【請求項１３】
前記無線基地局は、ＬＴＥシステムにおいて動作するように適合され、
前記トリガは、帯域幅の再構成を開始し、
前記決定部（５１２）は、第２のセルのＩＤを決定し、前記第２のセルのＩＤに対応する同期チャネル、再構成される前記帯域幅に対応する前記システム情報の情報要素、再構成される前記帯域幅及び前記第２のセルのＩＤに対応するリファレンス信号を、前記第２のセルについて決定する、ようにさらに構成される、
請求項１１に記載の無線基地局。
【請求項１４】
前記始動部（５１３）は、前記第２のセルについてのリファレンス信号、報知チャネル、システム情報を搬送するリソース要素、及び同期チャネルの送信電力を増やすように構成される、請求項１１〜１３のいずれかに記載の無線基地局。
【請求項１５】
前記停止部（５１４）は、前記第１のセルについての信号の送信電力を減らすように構成される、請求項１１〜１４のいずれかに記載の無線基地局。
【請求項１６】
前記トリガは、前記第２の構成についての情報を含み、
前記決定部（５１２）は、前記トリガの情報に基づいて前記第２の構成を決定するように構成される、
請求項１１〜１５のいずれかに記載の無線基地局。
【請求項１７】
前記決定部（５１２）は、所定の第２の構成の情報に基づいて前記第２の構成を決定するように構成される、請求項１１〜１６のいずれかに記載の無線基地局。
【請求項１８】
前記第１のセル内のアクティブなユーザ機器に、前記第１のセルを停止する前に前記第２のセルへのハンドオーバを行わせるように構成される促進部（５１７）、をさらに備える、請求項１１〜１７のいずれかに記載の無線基地局。
【請求項１９】
ページングを介して前記第１のセル内の遊休状態のユーザ機器をアクティブなユーザ機器に変更するように構成される変更部（５１８）をさらに備える、請求項１８に記載の無線基地局。
【請求項２０】
前記決定部（５１２）は、前記第１のセルのセルＩＤと異なる第２のセルのＩＤを決定するようにさらに構成される、請求項１１に記載の無線基地局。
【発明の詳細な説明】
【技術分野】
【０００１】
本発明は、システムの再構成に関する。より具体的には、本発明は、無線基地局、及び第１の構成から第２の構成に変わるための方法に関する。
【背景技術】
【０００２】
ＵＭＴＳ（Universal  Mobile  Telecommunication  System）は、ＧＳＭを継承するように設計された第３世代移動通信技術の１つである。３ＧＰＰのＬＴＥ（Long  Term  Evolution）は、高データレート、改善された効率、低コスト等のような改善されたサービスの観点から将来の要求に対処できるようにＵＭＴＳ標準を改善するための第３世代パートナーシッププロジェクト（３ＧＰＰ）内のプロジェクトである。ＵＴＲＡＮ（UMTS  Terrestrial  Radio  Access  Network）は、ＵＭＴＳシステムの無線アクセスネットワークである。また、Ｅ−ＵＴＲＡＮ（evolved  UTRAN）は、ＬＴＥシステムの無線アクセスネットワークである。図１の中で説明されるように、Ｅ−ＵＴＲＡＮは、典型的には、ｅＮｏｄｅＢと一般に呼ばれる無線基地局（ＲＢＳ）１００に無線で接続されるユーザ機器（ＵＥ）１５０を含む。ｅＮｏｄｅＢは、セル１１０と呼ばれる領域にサービスを提供する。セルに入るＵＥは、当該セルにサービスを提供するｅＮｏｄｅＢと通信できるように、その特定のセルの構成情報を知る必要がある。そのようなセルに固有のセル構成情報は、典型的には、セル内で全てのＵＥに報知（broadcast）される。
【０００３】
Ｅ−ＵＴＲＡＮでは、セルの構成情報は、システム情報（ＳＩ）の中に含まれる。著しい遅延なしに緊急を要するＳＩを読み込むことをＵＥに可能にしつつ、ＳＩに必要な資源及びＳＩを読み込むためのＵＥでの電力消費を最小化するために、ＳＩは、別々に報知されるブロックにグループ化される。これらのブロックは、マンチェスタ情報ブロック（ＭＩＢ）、及び、ＳＩＢ１、ＳＩＢ２等と呼ばれるいくつかの異なる種類のシステム情報ブロック（ＳＩＢ）である。ＭＩＢが使用されて、どのＳＩＢがセル内で使用中であるか、及びどのようにそれらにアクセスすべきかが、特定される。各ＳＩＢは、ブロックの種類及び実際のＳＩ要素を特定するフィールドを含む。また、各ＳＩＢは、オプションで、ＳＩＢの中の情報要素の値に関連する有効期限及び値タグも含んでもよい。有効期限及び値タグの目的は、ＳＩＢの不用な再読込みを回避することである。ＳＩＢの中に含まれるＳＩの例は、（ＳＩＢ２内の）全てのＵＥに共通の無線リソースの構成情報、並びに、（ＳＩＢ３内の）周波数内、周波数間及び／又はＲＡＴ間のセル再選択に共通のセル再選択情報である。
【０００４】
ＳＩの変更は、特定の無線フレームの中でのみ発生する。これらの特定の無線フレームの発生間隔は、変更期間と呼ばれる。構成（例えば、ページング周期の長さ）に応じて、変更期間は、４１秒と同じ長さであることが可能である。ＳＩが変更される場合には、典型的には、１つよりも多くの変更期間を要する。ネットワークは、ＳＩの一部を変更する場合に、まず、この変更についてＵＥに通知する。これは、典型的には、第１の変更期間を通して行われ得る。次の変更期間に、ネットワークは、更新されたＳＩを送信する。休止状態（idle）モードのＵＥ、並びに、ＣＥＬＬ＿ＰＣＨ状態及びＵＲＡ＿ＰＣＨ状態の接続モードのＵＥに、ＳＩの変更を通知するために、ページングメッセージが使用される。近隣セル関係のようないくつかのセル固有のＳＩ要素は、比較的まれに更新される。一方、他のＳＩ要素は、例えば干渉又はトラフィック測定の結果として、定期的に更新される必要がある。
【０００５】
しかしながら、ＵＥが有効なＳＩを常に有することを保証するために、ＳＩ要素は１時間に数回のみ変わり得る。ＳＩＢの中の値タグは、０〜３１の間の整数である。当該整数は、ＳＩ要素に変化が発生したかを示す。ＵＥは、例えばカバレッジ外から戻った際に、ＳＩＢの値タグを使用して、以前に記憶されたＳＩ要素がまだ有効であるかを検証し得る。値タグをチェックすることに加えて、ＵＥは、また、他に特に定めのない限り、記憶されたＳＩが有効であると成功裏に確認された瞬間から３時間後に、当該ＳＩを無効であるとみなす。値タグが０〜３１の間の整数に制限される場合に、これは、３時間に３１回よりも多く、即ち平均で約６分ごとにＳＩを変更することは安全ではないことを暗示する。ＳＩの少なくとも一部の変更を要求するセルの再構成は、ＳＩの変更を介して行われる。したがって、電力消費を減らすためのセル帯域幅の減少等のそのようなセルの再構成は、かなり遅く且つ柔軟性のないプロセスである。
【０００６】
送信アンテナの数は、ＳＩの中でビットパターンとして符号化されない。これは、ＵＥはＳＩのペイロードを通してアンテナの数を知ることができないことを意味する。代わりに、ＲＢＳは、報知チャネル（ＢＣＨ：Broadcast  Channel）の送信フォーマットを選択する。当該送信フォーマットは、実際の送信アンテナの数に対応する。しかしながら、ＵＥは、ＢＣＨの送信フォーマットを通知されず、当該送信フォーマットを手探りで検出しなければならない。したがって、一度検出されると、ＵＥは、ＲＢＳがいくつの送信アンテナを使用するかを知る。そして、ＵＥは、報知チャネルの一定の送信フォーマットを期待する。したがって、送信アンテナの数の変更は、継続中のトラフィックを妨げるセルの再起動なしにはできない。
【発明の概要】
【０００７】
本発明の目的は、上記欠点のいくつかを取り除き、送信アンテナの数又は帯域幅を再構成する等、システムを再構成するより迅速で柔軟な手法を可能にする方法及び構成を達成することである。
【０００８】
この及び他の目的は、添付の独立項に従った方法及び無線基地局により、及び従属項に従った実施形態により、達成される。
【０００９】
本発明の第１の形態によれば、無線基地局におけるシステム再構成のための方法が提供される。上記方法は、第１の構成から第２の構成に変わることを可能にし、上記システムの上記再構成を開始するトリガを受信するステップと、上記第２の構成を決定するステップと、上記第１の構成を有する第１のセルを停止する前に、上記第２の構成を適用することにより第２のセルを始動するステップとを含む。上記方法は、上記第２のセルを始動するステップに対する時間的なオフセットを伴って上記第１のセルを停止するステップも含む。
【００１０】
本発明の第２の形態によれば、第１の構成から第２の構成に変わることによりシステムの再構成を可能にするように適合される無線基地局が、提供される。上記無線基地局は、上記システムの上記再構成を開始するトリガを受信するように構成される受信部と、第２の構成を決定するように構成される決定部と、上記第１の構成を有する第１のセルを停止する前に、上記第２の構成を適用することにより第２のセルを始動する、ように構成される始動部と、を備える。上記無線基地局は、上記第２のセルを始動することに対する時間的なオフセットを伴って上記第１のセルを停止するように構成される停止部も備える。
【００１１】
本発明の実施形態の利点は、従来のＳＩ変更手順が可能にするよりも、より迅速でより柔軟性のある手法で、システム帯域幅の再構成のようなシステム再構成を行えることである。
【００１２】
本発明の実施形態のさらなる利点は、元のセルを再起動して継続中のトラフィックを妨げることもなく送信アンテナの数の再構成が可能であるということである。
【００１３】
本発明の実施形態のさらに別の利点は、柔軟な手法で、例えば夜間等の低いトラフィックの期間の間に、システム帯域幅又は送信アンテナの数を減らし得るので、省電力を可能にするということである。
【図面の簡単な説明】
【００１４】
【図１】本発明が実装され得る従来の無線通信システムの一部を概略的に説明する。
【図２ａ】元のセル及び新たなセルの両方についての中央のリソースブロックにおける１サブフレーム（ＳＦ）の時間的なオフセットを概略的に説明する。
【図２ｂ】同一の送信チェーン上で送信される元のセル及び新たなセルの、時間における１つのＳＦ及び周波数における１つのリソースブロックについての時間周波数リソースグリッドを概略的に説明する。
【図２ｃ】同一の送信チェーン上で送信される元のセル及び新たなセルの、時間における１つのＳＦ及び周波数における１つのリソースブロックについての時間周波数リソースグリッドを概略的に説明する。
【図３】本発明の一実施形態に従った本発明の方法を概略的に説明する。
【図４ａ】本発明の実施形態に従ったＲＢＳにおける方法のフローチャートである。
【図４ｂ】本発明の実施形態に従ったＲＢＳにおける方法のフローチャートである。
【図４ｃ】本発明の実施形態に従ったＲＢＳにおける方法のフローチャートである。
【図４ｄ】本発明の実施形態に従ったＲＢＳにおける方法のフローチャートである。
【図５】本発明の実施形態に従ったＲＢＳを概略的に説明する。
【発明を実施するための形態】
【００１５】
以下では、本発明は、ある実施形態及び添付の図面を参照してより詳細に説明される。限定ではなく説明の目的で、本発明の完全な理解を提供するために、具体的なシナリオ、技術等の特定の詳細が説明される。しかしながら、これらの特定の詳細から逸脱する他の実施形態において本発明が実施され得るということは、当業者にとって明らかであろう。
【００１６】
さらに、本明細書において以下に説明される機能及び手段は、プログラミングされたマイクロプロセッサ若しくは汎用コンピュータと連動して機能するソフトウェアを使用して、及び／又はＡＳＩＣ（Application  Specific  Integrated  Circuit）を使用して実装され得る、ということを当業者は理解するであろう。本発明は方法及び装置の形で主として説明されるが、本発明は、コンピュータプログラム製品においても、並びに、コンピュータプロセッサ及び当該プロセッサに接続されるメモリを備えるシステムであって、当該メモリは本明細書で開示される機能を実行し得る１つ以上のプログラムで符号化される、上記システムにおいても、具現化され得る、ということも理解されるであろう。
【００１７】
本明細書では、具体的な例示のシナリオを参照することにより本発明を説明する。とりわけ、３ＧＰＰのＬＴＥシステムに関する限定しない一般的な状況において、本発明を説明する。しかしながら、本発明及びその例示的な実施形態は、ＵＴＲＡＮ、ＷｉＭＡＸ及びＬＴＥの次のリリース等の他の種類の無線アクセス技術にも適用され得る、ということが留意されるべきである。
【００１８】
本発明では、ＳＩの変更を使用するシステム再構成についての柔軟性がなく遅いプロセスの問題が、ソリューションにより解決される。当該ソリューションでは、ＲＢＳは、システムの再構成を開始するようにトリガされ、再構成は、元の（又は第１の）セルと平行して、所望の新たな構成で新たな（又は第２の）セルを始動することにより実行される。ある期間の間に、元のセル及び新たなセルの両方が利用可能である。その後、元のセルが停止される。新たなセルの始動と元のセルの停止との間の時間的なオフセットは、元のセルに関連付けられる全てのＵＥ（アクティブ、休止状態（dormant）又は遊休状態（idle））が新たなセルへのハンドオーバを行い、又は新たなセルを再選択できることを保証するのに十分長くなければならない。しかしながら、上記時間的なオフセットは、元のセルと新たなセルとの間の干渉を最小化するために短くあるべきでもある。
【００１９】
本発明の第１の例示的な実施形態では、ＲＢＳは、ＬＴＥシステムにおいて動作し、したがって、ｅＮｏｄｅＢと呼ばれる。ＲＢＳは、送信アンテナにそれぞれ接続される２つのアンテナポートを有する。マルチアンテナ技術は、無線通信システムのデータレート及び信頼性を著しく向上させることができる。送信機及び受信機の両方がマルチアンテナを装備する場合（マルチ入力マルチ出力（ＭＩＭＯ））に、性能は特に向上する。マルチ送信アンテナの欠点は、複数の電力増幅器、即ち送信チェーンあたり１つの電力増幅器が必要であることによる電力消費の増加である。したがって、低いトラフィックの期間の間の送信アンテナの数の再構成は、省電力の観点から有益である。この第１の実施形態では、ｅＮｏｄｅＢは、アクティブな送信アンテナの数の再構成を開始するためのトリガを受信する。ｅＮｏｄｅＢが２つの送信アンテナで動作している場合に、１つのアクティブな送信アンテナへの減少は、低い負荷の期間の間に電力を節約するために実行され得る。負荷状況が必要とする場合には、アンテナの数は後に再度２つに増加し得る。この例示的な実施形態におけるＲＢＳは２つの送信アンテナで構成されるが、当然ながら、２つよりも多くのアンテナを伴う他の構成も想像され得る。
【００２０】
したがって、トリガを受信する場合に、ｅＮｏｄｅＢは新たな構成を決定し、元のセルと平行してこの新たな構成で新たなセルを始動する。新たな構成では、ＳＩ要素は送信アンテナの数により影響される。また、（上述したように）いくつの送信アンテナが使用されるかをＵＥが検出するために、新たなセルの報知チャネルは、送信アンテナの再構成された数に対応する送信フォーマットを有する。新たなセルのセルＩＤが古いセルのセルＩＤと異なる場合に、同期チャネル及びＲＳも影響される。
【００２１】
さらに、時間及び／又は周波数のオフセットを適用し、特定の手法で新たなセルのセルＩＤを選択することにより、２つのセルからの信号の衝突を大幅に回避できる。したがって、元のセルと同一の送信チェーンで、及び同一の送信アンテナを介して、新たなセルを送信することができる。セルにおける異なる時間周波数リソースを使用することにより、元のセルから新たなセルへの遷移期間の間にスケジューリングされ得るいずれかの物理ダウンリンク共有チャネル（ＰＤＳＣＨ）信号を離すことができる。これは、再構成が低いトラフィックの状況で常に行われる場合に可能である。
【００２２】
図２ａは、元のセル及び新たなセルの両方についての中央のリソースブロック、並びに、元のセルのＳＦ２０２の送信に対する１サブフレーム（ＳＦ）の時間的なオフセットで新たなセルがそのサブフレーム２０１をどのように送信するかを、概略的に説明する。ＬＴＥの周波数分割多重（ＦＤＤ）では、同期チャネルは、各セルについてのＳＦ０及びＳＦ５の中で送信される。図２ａの中で示されるように、１ＳＦの時間的な遅延で新たなセルのＳＦを送信することにより、元のセル及び新たなセルの同期チャネルの衝突が回避される。
【００２３】
ＳＦ内の同一のシンボル及び同一のアンテナポートについてのリファレンス信号（ＲＳ）の周波数の位置は、共通リファレンスに対して、ｖ＿ｓｈｉｆｔ＝Ｎ＿ｃｅｌｌｉｄ  ｍｏｄ  ６だけシフトされる。Ｎ＿ｃｅｌｌｉｄは、セルＩＤである。これは、新たなセルについて使用するセルＩＤを決定する場合に使用される。異なるｖ＿ｓｈｉｆｔをもたらすセルＩＤを選択することにより、ＲＳを重ねることを回避することができる。元のセルＩＤが０である場合に、ｖ＿ｓｈｉｆｔ＝０となる。したがって、新たなセルのセルＩＤは、ｖ＿ｓｈｉｆｔ≠０を与えるように選択されるべきである。例えば、セルＩＤ２は、ｖ＿ｓｈｉｆｔ＝２をもたらす。各送信アンテナについてＲＳがあると、マルチアンテナで動作するセルの場合に全ての送信アンテナからのＲＳが考慮される必要がある。図２ｂは、同一の送信チェーン上で送信される元のセル及び新たなセルの、時間における１つのＳＦ２０６及び周波数における１つのリソースブロックについての時間周波数リソースグリッド２００を概略的に説明する。この例では、図２ａの中で説明されたように１ＳＦの時間的な遅延が適用され、説明されるＳＦは元のセルのＳＦ２及び新たなセルのＳＦ１に対応する。この例では、このＳＦの中でスケジューリングされるＰＤＳＣＨ信号はない。使用中であるリソースグリッド２００のリソース要素２０７だけが、元のセル２０４のＲＳ及び新たなセル２０５のＲＳについて使用されるものである。新たなセルのセルＩＤは、上記説明に従ってＲＳの衝突を回避するように選択されている。
【００２４】
図２ｃは、元のセルの時間におけるＳＦ０及び周波数における１つのリソースブロック、並びに新たなセルの時間におけるＳＦ９に対応する、時間周波数リソースグリッド２１０を概略的に説明する（図２ａと同じ１ＳＦの時間的な遅延が適用される）。同期チャネル及びＭＩＢがＳＦ０で送信される場合に、リソース要素２０８のグループが、このリソースグリッドの中の元のセルの同期チャネル及びＭＩＢのために使用される。したがって、新たなセルがＲＳ２０５を送信し、元のセルが同期チャネル及びＭＩＢ２０８を送信する場合に、リソース要素２０９を重複させてしまうので、このリソースグリッドでは、２つのセルについて信号間の衝突を回避することができない。同じ状況は、新たなセルの同期チャネル及びＭＩＢがいくつかのリソース要素上で送信される場合に、元のセルのＳＦ１及び新たなセルのＳＦ０に対応する時間周波数リソースグリッドで起こる。そして、同期チャネル及びＭＩＢが送信されるように、元のセルが同一の時間／周波数リソース要素の中でＲＳを送信する場合に、リソース要素の重複が発生する。１つのセルについてのＲＳと別のセルからのＳＩＢとが同一のリソース要素上で送信される場合にも、リソース要素の重複がある。しかしながら、電力増幅器は、高負荷の状況で同時に全てのサブキャリアからの信号を処理するように適合され、したがって低負荷の状況で飽和（saturate）させることなくこれらのいくつかの衝突を処理できるので、いくつかの衝突は、いずれの問題も引き起こさない。
【００２５】
本発明の第２の例示的な実施形態では、ｅＮｏｄｅＢの中でトリガされ、開始されるのは、セル帯域幅の再構成である。セル帯域幅も、電力消費に影響する。したがって、この第２の実施形態が用いられても、省電力が可能になる。したがって、ｅＮｏｄｅＢは、元のセルと平行して、より狭い帯域幅を伴う新たなセルを始動する。この実施形態では、報知チャネルの送信フォーマットは影響されないが、そうでなければ、第１の例示的な実施形態と同じ考慮が必要である。
【００２６】
図３は、第２の実施形態の方法を概略的に説明する。この例は、ＬＴＥの標準仕様書のリリース８では現在定義されていない省電力モードをさらに想定する。ＬＴＥ標準仕様書の後のリリースでおそらく導入されるであろうこの省電力モードでは、ＳＦ０及びＳＦ５のみが送信に使用される。手順３０６の第１のフェーズでは、ｅＮｏｄｅＢは、広帯域のキャリア（元のセル）を送信する。各無線フレーム３０１では、２つのＳＦ３０３（ＳＦ０及びＳＦ５）が送信に使用され、したがって、２つのＳＦ３０２（ＳＦ２及びＳＦ７）が、新たなセルの始動時に使用されように送信のために予約され得る。ある時点３０７で、新たなセルが始動し、第２の狭帯域のキャリアの無線フレーム３０４が、元の広帯域のキャリアと同じ送信チェーンを使用して、２つのＳＦの時間的なオフセットを伴い送信される。したがって、新たなセル３０５についての送信に使用されるＳＦは、予約されるＳＦ３０２に対応する。元のセルは省電力モードであるので、非常に低いシステム負荷が想定される。したがって、２つのセルの間の時間的なオフセットを適用することにより、同一の時間周波数リソース上での両方のセルの同時の信号を回避することができる。
【００２７】
新たなセルが始動する際３０７に開始する手順３０８の第２のフェーズでは、元のセルから新たなセルへのＵＥのハンドオーバ及び新たなセルの再選択が実行される。また、元のセルの信号の送信電力は減らされ、一方、新たなセルの信号の送信電力は増やされる。元のセルが完全に停止すると、第３のフェーズ３０９が開始し、ｅＮＢは、新たなセルに対応する１つの狭帯域のキャリアの無線フレーム３０４を送信する。このように、セル帯域幅の再構成が完了する。
【００２８】
本発明のこれらの例示的な実施形態の利点は、上述したようにＳＩを修正する遅く柔軟性のない従来のシステム再構成プロセスの代わりに使用され得ること、及び６分に１度の遅い手順に制限されずに必要なときはいつでも迅速な再構成を提供することである。ＲＢＳにおける省電力は、ＳＩを迅速に変更することを望む１つの理由である。再構成の目的が、帯域幅又は送信アンテナの数を減らすことにより電力を節約することである場合に、例えば負荷状況に基づいて再構成を行うことができる。負荷状況が許せばすぐに、帯域幅又は送信アンテナの数の減少を通じた省電力を行い得る。必要なキャパシティが再度高まることを測定値が示すと、帯域幅又は送信アンテナの数を増加させるシステム再構成がトリガされ得る。したがって、システムは、トラフィックを妨げること無く柔軟に素早く再構成され、よって省電力を可能にし得る。送信アンテナの数の再構成を可能にする実施形態の別の利点は、セルを再起動して継続中のトラフィックを妨げることなく行えることである。本発明は、送信アンテナの数又は帯域幅の再構成に限定されない。別の例は、ランダムアクセス構成を再構成することである。これは、様々なランダムアクセスの負荷に応じるために行われ得る。
【００２９】
元のセルを停止する場合に、これは、典型的には突然には行われない。本発明の一実施形態では、元のセルについての信号の送信電力は減らされ、一方、新たなセルの信号の送信電力は増やされる。元のセル内のアクティブなＵＥが、いつ別のセルへのハンドオーバを行うべきかを決定するために信号強度を継続的に測定する場合に、元のセルについての信号の減少は、アクティブなＵＥについてのハンドオーバを開始する。セルの境界に近いＵＥは代わりに近隣のセルへのハンドオーバを行いたいかもしれないが、新たなセルについての信号が増える場合に、ＵＥは新たなセルへのハンドオーバを行う可能性が高い。同様に、遊休状態のＵＥは、セル再選択の手順を通じて、居座るための最良のセルを継続的に探索し、したがって、元のセルの送信電力が減り、新たなセルの送信電力が増える場合に、新たなセルのセル再選択を行う。
【００３０】
元のセル内のアクティブなＵＥが新たなセルへのハンドオーバを行うことを保証するために、一実施形態では、全てのアクティブなＵＥは、元のセルが停止する前に、ハンドオーバを介して新たなセルに接続させられる。遊休状態のＵＥの場合には、新たなセルへのハンドオーバを当該ＵＥに行わせるために、当該ＵＥを、元のセル内でページングし、アクティブモードに変更することができる。
【００３１】
本発明の例示的な一実施形態では、再構成を開始するＲＢＳにより受信されるトリガは、実際には、新たな構成についての情報も含む。これは、トリガの中で受信される情報に基づいて新たな構成の決定が実行され得ることを意味する。代替の実施形態では、ＲＢＳにより受信されるトリガは、例えば省エネルギーモードに入るべきであることを示すトリガメッセージ又はイベントのみである。そして、新たな構成の決定は、この省エネルギーモードに対応する所定の構成に基づいて行われる。
【００３２】
通常夜間にはトラフィックが低いので、電力消費を減らすことによりエネルギーを節約するために、夕方のある時点に例えばビジネス領域内のセルについての送信アンテナの数又は帯域幅を減らすことができる。朝には、増加する必要なキャパシティに対処するために、送信アンテナの数又は帯域幅を再度増やすことができる。この場合に、トリガは、典型的には新たな構成についての情報を含まず、ある時点で発生するイベントのみである。そして、ＲＢＳは、所定の構成情報を読み込む。
【００３３】
別の例では、ＲＢＳは、ある時間にわたって平均化されたセル内の負荷状況を観察し、所定の低負荷の構成に変化することが可能であると負荷状況が示す場合に、当該所定の低負荷の構成に変化する。さらに別の例では、システム帯域幅のいくつかの部分がいくつかの理由で激しく干渉される場合に、帯域幅の再構成が開始される。
【００３４】
図４ａは、本発明の一実施形態に従ったＲＢＳにおける方法のフローチャートである。当該方法は、元の第１の構成から新たな第２の構成へのシステム再構成を開始するトリガを受信するステップ４１０を含む。新たな構成を含む明示的な再構成メッセージとして、又はイベントとして、トリガが受信されると、ＲＢＳは、トリガの中で受信される構成情報に基づいて、又は所定の構成情報に基づいて、新たな構成を決定する（４２０）。そして、新たなセルは、新たな構成を適用することにより始動され（４３０）、元のセルは、ある時間的な遅延の後に停止される（４４０）。両方のセルが利用可能な期間の間に、新たなセルの信号の送信電力が増やされ、元のセルの信号の送信電力が減らされる。アクティブなＵＥは、元のセルから新たなセルへのハンドオーバを行い、遊休状態のＵＥはセルの再選択を行う。
【００３５】
図４ｂは、上述した本発明の第１の例示的な実施形態に従ったＲＢＳにおける方法の一部のフローチャートである。この第１の実施形態では、トリガされるのは、送信アンテナの数の再構成である。新たな構成を決定するステップ４２０は、以下のステップを含む。
−４２１：新たなセルＩＤを決定する。セルＩＤはＲＳの周波数の位置に影響するので（以下のステップ４２３を参照）、このステップは、２つのセルのＲＳの衝突を回避するのに重要である。
−４２２：第２のセルのセルＩＤに対応する第２のセルについての同期チャネルを決定する。
−４２３：セルＩＤ及び送信アンテナの新たな数に基づいて、第２のセルについてのＲＳを決定する。
−４２４：送信アンテナの新たな数に対応する、第２のセルについてのＳＩの情報要素及びＢＣＨの送信フォーマットを決定する。いくつの送信アンテナが使用されるかをＵＥが検出するために、ＢＣＨの送信フォーマットは送信アンテナの数に適合される。
【００３６】
図４ｃは、上述した本発明の第２の例示的な実施形態に従ったＲＢＳにおける方法の一部のフローチャートである。この第２の実施形態では、トリガされるのは帯域幅の再構成である。新たな構成を決定するステップ４２０は、以下のステップを含む。
−４２１：新たなセルのＩＤを決定する。
セルＩＤはＲＳの周波数の位置に影響するので（以下のステップ４２３を参照）、このステップは、２つのセルのＲＳの衝突を回避するのに重要である。
−４２２：第２のセルのセルＩＤに対応する第２のセルについての同期チャネルを決定する。
−４２５：第２のセルについてのＳＩの情報要素を決定する。これらは、新たな帯域幅に対応するべきである。
−４２６：セルＩＤ及び新たな帯域幅に基づいて、第２のセルについてのＲＳを決定する。
【００３７】
図４ｄは、本発明の第３の実施形態に従ったＲＢＳにおける方法のフローチャートである。当該方法は、元の第１の構成から新たな第２の構成へのシステム再構成を開始するトリガを受信するステップ４１０を含む。新たな構成を含む明示的な再構成メッセージとして、又はイベントとして、当該トリガが受信されると、ＲＢＳは、当該トリガの中で受信される構成情報に基づいて、又は所定の構成情報に基づいて、新たな構成を決定する（４２０）。新たなセルは、新たな構成を適用することにより始動される（４３０）。遊休状態のＵＥは、元のセル内で当該ＵＥにページングすることにより、アクティブなＵＥへと変更される（４３６）。また、元のセルが停止される前に（４４０）、全てのアクティブなＵＥは、新たなセルへのハンドオーバを行わされる（４３５）。この第３の実施形態は、元のセルが停止される前に元のセル内の全てのＵＥが新たなセルへのハンドオーバを行うことを保証する。
【００３８】
本発明の一実施形態に従った、２つの送信アンテナ５１６を備えるＲＢＳ５００が、図５の中で概略的に説明される。ＲＢＳ５００は、システムの再構成を開始するトリガを受信する受信部５１１を備える。ＲＢＳ５００は、また、新たな構成を決定する決定部５１２と、新たなセルを始動する始動部５１３と、元のセルを停止する停止部５１４とを備える。
【００３９】
トリガが送信アンテナの数の再構成を開始する場合に、決定部５１２は、第２のセルについて、セルＩＤ、第２のセルのＩＤに対応する同期チャネル、送信アンテナの再構成された数及び第２のセルのＩＤに対応するリファレンス信号、並びに、送信アンテナの再構成された数に対応するシステム情報の情報要素及び報知チャネルの送信フォーマットを決定するように、さらに構成される。
【００４０】
トリガは、帯域幅の再構成も開始し得る。そして、したがって、決定部５１２は、第２のセルについて、セルＩＤ、第２のセルのＩＤに対応する同期チャネル、再構成される帯域幅に対応するシステム情報の情報要素、並びに、再構成された帯域幅及び第２のセルのＩＤに対応するリファレンス信号を決定するようにも、構成される。
【００４１】
一実施形態では、始動部５１３は、リファレンス信号、報知チャネル、システム情報を搬送するリソース要素、及び第２のセルについての同期チャネルの送信電力を増やすように構成される。また、停止部５１４は、第１のセルについての信号の送信電力を減らすように構成される。
【００４２】
さらに、ＲＢＳは、アクティブなＵＥに新たなセルへのハンドオーバを行わせる促進部５１７と、全ての遊休状態のＵＥが新たなセルへのハンドオーバを行えるように、元のセルに関連付けられる全ての遊休状態のＵＥをアクティブなＵＥに変更する変更部５１８とを備える。
【００４３】
上述した実施形態は、単に例示として与えられ、本発明を限定すべきではない。添付の特許請求の範囲に記載されるように、本発明の範囲内の他のソリューション、使用、目的及び機能は、当業者にとって明らかであろう。
【図１】
0005323990.tif 000002
【図２ａ】
0005323990.tif 000003
【図２ｂ】
0005323990.tif 000004
【図２ｃ】
0005323990.tif 000005
【図３】
0005323990.tif 000006
【図４ａ】
0005323990.tif 000007
【図４ｂ】
0005323990.tif 000008
【図４ｃ】
0005323990.tif 000009
【図４ｄ】
0005323990.tif 000010
【図５】
0005323990.tif 000011